(57)【特許請求の範囲】
【請求項１】
ユーザグループを構成する端末と、呼接続ルートを収容するゲートウェイと、呼接続先を選択するサーバとから構成される構内電話交換システムであって、
前記端末は、
前記ユーザグループの識別情報と、端末識別情報と、呼の着信者を識別する着信者識別情報とを前記サーバへ送信し、発信を要求する発信要求手段と、
前記発信要求手段による発信要求に対応して前記サーバから受信した接続先アドレスへ接続要求を送信し、呼を確立する呼確立手段とを具備し、
前記サーバは、
前記ユーザグループの識別情報と、前記ユーザグループを構成する端末の端末識別情報と、前記ユーザグループが契約するサービス内容とを記憶する第一のデータベースと、
前記着信者識別情報と、接続先のゲートウェイまたは着信者のアドレスを記憶する第二のデータベースと、
前記端末から発信の要求を受信する発信要求受信手段と、
発信を要求した前記端末である発端末から受信したユーザグループの識別情報と、端末識別情報と、前記第一のデータベース内のサービス内容とを基に、前記発端末の発信を許可するかを判断する発信許可判断手段と、
前記発信許可判断手段が発信を許可した場合、前記発端末から受信した着信者識別情報を基に、前記第二のデータベース内の接続先のゲートウェイまたは着信者のアドレスを選択する接続先選択手段と、
前記発端末へ前記接続先選択手段が選択した接続先のゲートウェイまたは着信者のアドレスである接続先アドレスを通知する接続先通知手段と、
前記接続先選択手段が選択したゲートウェイのアドレスへ、前記発端末から受信した着信者識別情報を送信し、発信を要求する発信要求手段とを具備し、
前記ゲートウェイは、
前記サーバから着信者識別情報を受信し、発信の要求を受け付ける発信要求受信手段と、
前記発信要求受信手段で受信した着信者識別情報の示す着信者と当該ゲートウェイとの間の呼を接続する第一の呼接続手段と、
当該呼の発信を要求した端末から接続要求を受信して、当該ゲートウェイとの間の呼を確立するとともに、前記第一の呼接続手段で確立した呼と相互接続して、呼を疎通させる第一の相互接続手段とを具備し、
前記端末は、
前記サーバから着信の要求を受信する着信要求受信手段を具備し、
前記呼確立手段は、着信を要求した前記サーバから受信した接続先アドレスへ接続要求を送信して呼を確立し、
前記サーバは、
前記ゲートウェイから着信の要求を受信する着信要求受信手段と、
着信を要求した前記ゲートウェイから受信した着信者識別情報と、前記第一のデータベース内のサービス内容とを基に、着信先の端末を選択する着端末先選択手段と、
前記着端末選択手段が選択した端末へ、着信の要求があったゲートウェイのアドレスを呼接続先アドレスとして通知し、着信を要求する着信要求手段とを具備し、
前記ゲートウェイは、
着信者識別情報と接続先サーバとを記憶するデータベースと、
発信者から着信者識別情報を受信し、着信の要求を受け付ける着信要求受信手段と、
前記着信要求受信手段が受信した着信者識別情報を基に、前記データベース内の接続先サーバを選択し、前記着信者識別情報を送信して、着信を要求する着信要求手段と、
前記発信者と当該ゲートウェイとの間の呼を接続する第二の呼接続手段と、
当該呼の着信先の端末から接続要求を受信して当該ゲートウェイとの間の呼を確立し、前記第二の呼接続手段で確立した呼と相互接続して、呼を疎通させる第二の相互接続手段とを具備する、
ことを特徴とし、さらに、
前記端末は、
ユーザグループの識別情報と、端末識別情報と、該端末の型を示す端末型情報とをサーバへ送信し、端末の登録を要求する端末登録要求手段と、
端末の登録を要求した前記サーバからボタンに割り当てる機能の情報を受信し、当該端末の備えるボタンに受信した機能を割り当てる端末活性化手段とを具備し、
前記サーバは、
端末からユーザグループの識別情報と、端末識別情報と、端末型情報とを受信し、登録の要求を受ける端末登録要求受信手段と、
前記端末登録受信手段が受信したユーザグループの識別情報及び端末識別情報を基に、前記端末へ前記第一のデータベースに記憶されるサービスを提供可能にする端末登録手段と、
前記端末登録受信手段が受信した前記端末型情報と、前記第一のデータベースとを基に、登録を要求した端末が備えるボタンに割り当てる機能の情報を決定し、前記端末へ通知する端末機能通知手段とを具備する、
ことを特徴とする構内電話交換システム。
【請求項２】
前記端末の呼確立手段は、前記ゲートウェイへ認証情報を送信して呼を確立し、
前記ゲートウェイは、
前記端末から認証情報を受信して、認証を行う認証手段を具備し、
前記第一の呼接続手段及び前記第二の呼接続手段は、前記認証手段が端末を認証した場合に、前記端末との呼を確立する、
ことを特徴とする請求項１に記載の構内電話交換システム。
【請求項３】
前記端末は、呼の開始及び終了を前記サーバへ通知する呼状態通知手段を具備し、
前記サーバは、
課金情報を記憶する課金情報記憶手段と、
前記端末から呼の開始及び終了の通知を受信し、該端末のユーザグループの識別情報と、通話時間とを前記課金情報記憶手段に書き込む課金情報収集手段とを具備する、
ことを特徴とする請求項１または請求項２に記載の構内電話交換システム。
【請求項４】
ユーザグループの識別情報と、端末識別情報と、該端末の型を示す端末型情報とをサーバへ送信し、端末の登録を要求する端末登録要求手段と、
端末の登録を要求した前記サーバからボタンに割り当てる機能の情報を受信し、当該端末の備えるボタンに受信した機能を割り当てる端末活性化手段と、
前記ユーザグループの識別情報と、端末識別情報と、呼の着信者を識別する着信者識別情報とを前記サーバへ送信し、発信を要求する発信要求手段と、
サーバから着信の要求を受信する着信要求受信手段と、
前記発信要求手段による発信要求に対応して前記サーバから受信した、または、着信を要求した前記サーバから受信した接続先アドレスへ接続要求を送信し、呼を確立する呼確立手段と、
呼の開始及び終了を前記サーバへ通知する呼状態通知手段と、
を具備することを特徴とする端末。
【請求項５】
ユーザグループの識別情報と、前記ユーザグループを構成する端末の端末識別情報と、前記ユーザグループが契約するサービス内容とを記憶する第一のデータベースと、
着信者識別情報と、接続先のゲートウェイまたは着信者のアドレスを記憶する第二のデータベースと、
端末からユーザグループの識別情報と、端末識別情報と、端末型情報とを受信し、登録の要求を受ける端末登録要求受信手段と、
前記端末登録受信手段が受信したユーザグループの識別情報及び端末識別情報を基に、前記端末へ前記第一のデータベースに記憶されるサービスを提供可能にする端末登録手段と、
前記端末登録受信手段が受信した前記端末型情報と、前記第一のデータベースとを基に、登録を要求した端末が備えるボタンに割り当てる機能の情報を決定し、前記端末へ通知する端末機能通知手段と、
端末から発信の要求を受信する発信要求受信手段と、
発信を要求した前記端末である発端末から受信したユーザグループの識別情報と、端末識別情報と、前記第一のデータベース内のサービス内容とを基に、前記発端末の発信を許可するかを判断する発信許可判断手段と、
前記発信許可判断手段が発信を許可した場合、前記発端末から受信した着信者識別情報を基に、前記第二のデータベース内の接続先のゲートウェイまたは着信者のアドレスを選択する接続先選択手段と、
前記発端末へ前記接続先選択手段が選択した接続先のゲートウェイまたは着信者のアドレスである接続先アドレスを通知する接続先通知手段と、
前記接続先選択手段が選択したゲートウェイのアドレスへ、前記発端末から受信した着信者識別情報を送信し、発信を要求する発信要求手段と、
ゲートウェイから着信の要求を受信する着信要求受信手段と、
着信を要求した前記ゲートウェイから受信した着信者識別情報と、前記第一のデータベース内のサービス内容とを基に、着信先の端末を選択する着端末先選択手段と、
前記着端末選択手段が選択した端末へ、着信の要求があったゲートウェイのアドレスを呼接続先アドレスとして通知し、着信を要求する着信要求手段と、
課金情報を記憶する課金情報記憶手段と、
端末から呼の開始及び終了の通知を受信し、該端末のユーザグループの識別情報と、通話時間とを前記課金情報記憶手段に書き込む課金情報収集手段と、
を具備することを特徴とするサーバ。
【発明の詳細な説明】
【０００１】
【発明の属する技術分野】
この発明は、構内電話交換システム、端末及びサーバに関する。
【０００２】
【従来の技術】
近年、ＩＰ（Internet Protocol）を利用した通信トラヒックは急激に増加しており、それに伴い、ＩＰ通信網は拡充され、ＩＰ通信網への広帯域アクセスや常時接続なども提供されている。また、ＩＰ通信機器は安価に提供され、ＩＰを利用した電話サービスを実現するＶｏＩＰ（Voice over IP）も実現されてきている。
【０００３】
しかし現在、ＶｏＩＰの接続は基本的な二者間呼が対象であり、ＰＢＸ（Private Branch Exchange）などの構内交換サービスに関しては、端末が収容されるビルなどにＰＢＸ交換機のような高価な専用装置の設置が必要であった。さらに、同じ会社内で構内交換サービスを構築する場合、地理的に離れた箇所に拠点があるときには、拠点ごとに専用装置を設置しなけばならないことがあった。これらにより、ユーザにコストがかかっていた。よって、ユーザはコストを削減したいという要求がある。
また、サービスの追加や機能の変更などの必要がある場合には、専用装置の販売元に依頼して直接専用装置に対して作業を施してもらう必要があり、煩雑であった。
【０００４】
一方、通信事業者は、専用装置のサポートのために、個別にユーザの専用装置の設置場所に出向く必要があった。これは、煩雑であるとともに、保守・運用のための人的リソースもかかってしまっていた。そこで、通信事業者は保守・運用の負担を軽減したいという要求がある。
【０００５】
【発明が解決しようとする課題】
この発明は、このような事情を考慮してなされたもので、その目的は、公衆ネットワーク網上で動作する構内電話交換システムを提供することにある。
【０００６】
【課題を解決するための手段】
この発明は、上記の課題を解決すべくなされたもので、請求項１に記載の発明は、ユーザグループを構成する端末と、呼接続ルートを収容するゲートウェイと、呼接続先を選択するサーバとから構成される構内電話交換システムであって、前記端末は、前記ユーザグループの識別情報と、端末識別情報と、呼の着信者を識別する着信者識別情報とを前記サーバへ送信し、発信を要求する発信要求手段と、前記発信要求手段による発信要求に対応して前記サーバから受信した接続先アドレスへ接続要求を送信し、呼を確立する呼確立手段とを具備し、前記サーバは、前記ユーザグループの識別情報と、前記ユーザグループを構成する端末の端末識別情報と、前記ユーザグループが契約するサービス内容とを記憶する第一のデータベースと、前記着信者識別情報と、接続先のゲートウェイまたは着信者のアドレスを記憶する第二のデータベースと、前記端末から発信の要求を受信する発信要求受信手段と、発信を要求した前記端末である発端末から受信したユーザグループの識別情報と、端末識別情報と、前記第一のデータベース内のサービス内容とを基に、前記発端末の発信を許可するかを判断する発信許可判断手段と、前記発信許可判断手段が発信を許可した場合、前記発端末から受信した着信者識別情報を基に、前記第二のデータベース内の接続先のゲートウェイまたは着信者のアドレスを選択する接続先選択手段と、前記発端末へ前記接続先選択手段が選択した接続先のゲートウェイまたは着信者のアドレスである接続先アドレスを通知する接続先通知手段と、前記接続先選択手段が選択したゲートウェイのアドレスへ、前記発端末から受信した着信者識別情報を送信し、発信を要求する発信要求手段とを具備し、前記ゲートウェイは、前記サーバから着信者識別情報を受信し、発信の要求を受け付ける発信要求受信手段と、前記発信要求受信手段で受信した着信者識別情報の示す着信者と当該ゲートウェイとの間の呼を接続する第一の呼接続手段と、当該呼の発信を要求した端末から接続要求を受信して、当該ゲートウェイとの間の呼を確立するとともに、前記第一の呼接続手段で確立した呼と相互接続して、呼を疎通させる第一の相互接続手段とを具備し、前記端末は、前記サーバから着信の要求を受信する着信要求受信手段を具備し、前記呼確立手段は、着信を要求した前記サーバから受信した接続先アドレスへ接続要求を送信して呼を確立し、前記サーバは、前記ゲートウェイから着信の要求を受信する着信要求受信手段と、着信を要求した前記ゲートウェイから受信した着信者識別情報と、前記第一のデータベース内のサービス内容とを基に、着信先の端末を選択する着端末先選択手段と、前記着端末選択手段が選択した端末へ、着信の要求があったゲートウェイのアドレスを呼接続先アドレスとして通知し、着信を要求する着信要求手段とを具備し、前記ゲートウェイは、着信者識別情報と接続先サーバとを記憶するデータベースと、発信者から着信者識別情報を受信し、着信の要求を受け付ける着信要求受信手段と、前記着信要求受信手段が受信した着信者識別情報を基に、前記データベース内の接続先サーバを選択し、前記着信者識別情報を送信して、着信を要求する着信要求手段と、前記発信者と当該ゲートウェイとの間の呼を接続する第二の呼接続手段と、当該呼の着信先の端末から接続要求を受信して当該ゲートウェイとの間の呼を確立し、前記第二の呼接続手段で確立した呼と相互接続して、呼を疎通させる第二の相互接続手段とを具備する、ことを特徴とし、さらに、前記端末は、ユーザグループの識別情報と、端末識別情報と、該端末の型を示す端末型情報とをサーバへ送信し、端末の登録を要求する端末登録要求手段と、端末の登録を要求した前記サーバからボタンに割り当てる機能の情報を受信し、当該端末の備えるボタンに受信した機能を割り当てる端末活性化手段とを具備し、前記サーバは、端末からユーザグループの識別情報と、端末識別情報と、端末型情報とを受信し、登録の要求を受ける端末登録要求受信手段と、前記端末登録受信手段が受信したユーザグループの識別情報及び端末識別情報を基に、前記端末へ前記第一のデータベースに記憶されるサービスを提供可能にする端末登録手段と、前記端末登録受信手段が受信した前記端末型情報と、前記第一のデータベースとを基に、登録を要求した端末が備えるボタンに割り当てる機能の情報を決定し、前記端末へ通知する端末機能通知手段とを具備する、ことを特徴とする構内電話交換システムである。
【０００８】
請求項２に記載の発明は、請求項１に記載の構内電話交換システムであって、前記端末の呼確立手段は、前記ゲートウェイへ認証情報を送信して呼を確立し、前記ゲートウェイは、前記端末から認証情報を受信して、認証を行う認証手段を具備し、前記第一の呼接続手段及び前記第二の呼接続手段は、前記認証手段が端末を認証した場合に、前記端末との呼を確立する、ことを特徴とする。
【０００９】
請求項３に記載の発明は、請求項１または請求項２に記載の構内電話交換システムであって、前記端末は、呼の開始及び終了を前記サーバへ通知する呼状態通知手段を具備し、前記サーバは、課金情報を記憶する課金情報記憶手段と、前記端末から呼の開始及び終了の通知を受信し、該端末のユーザグループの識別情報と、通話時間とを前記課金情報記憶手段に書き込む課金情報収集手段とを具備する、ことを特徴とする。
【００１１】
請求項４に記載の発明は、ユーザグループの識別情報と、端末識別情報と、該端末の型を示す端末型情報とをサーバへ送信し、端末の登録を要求する端末登録要求手段と、端末の登録を要求した前記サーバからボタンに割り当てる機能の情報を受信し、当該端末の備えるボタンに受信した機能を割り当てる端末活性化手段と、前記ユーザグループの識別情報と、端末識別情報と、呼の着信者を識別する着信者識別情報とを前記サーバへ送信し、発信を要求する発信要求手段と、サーバから着信の要求を受信する着信要求受信手段と、前記発信要求手段による発信要求に対応して前記サーバから受信した、または、着信を要求した前記サーバから受信した接続先アドレスへ接続要求を送信し、呼を確立する呼確立手段と、呼の開始及び終了を前記サーバへ通知する呼状態通知手段と、を具備することを特徴とする端末である。
【００１２】
請求項５に記載の発明は、ユーザグループの識別情報と、前記ユーザグループを構成する端末の端末識別情報と、前記ユーザグループが契約するサービス内容とを記憶する第一のデータベースと、着信者識別情報と、接続先のゲートウェイまたは着信者のアドレスを記憶する第二のデータベースと、端末からユーザグループの識別情報と、端末識別情報と、端末型情報とを受信し、登録の要求を受ける端末登録要求受信手段と、前記端末登録受信手段が受信したユーザグループの識別情報及び端末識別情報を基に、前記端末へ前記第一のデータベースに記憶されるサービスを提供可能にする端末登録手段と、前記端末登録受信手段が受信した前記端末型情報と、前記第一のデータベースとを基に、登録を要求した端末が備えるボタンに割り当てる機能の情報を決定し、前記端末へ通知する端末機能通知手段と、端末から発信の要求を受信する発信要求受信手段と、発信を要求した前記端末である発端末から受信したユーザグループの識別情報と、端末識別情報と、前記第一のデータベース内のサービス内容とを基に、前記発端末の発信を許可するかを判断する発信許可判断手段と、前記発信許可判断手段が発信を許可した場合、前記発端末から受信した着信者識別情報を基に、前記第二のデータベース内の接続先のゲートウェイまたは着信者のアドレスを選択する接続先選択手段と、前記発端末へ前記接続先選択手段が選択した接続先のゲートウェイまたは着信者のアドレスである接続先アドレスを通知する接続先通知手段と、前記接続先選択手段が選択したゲートウェイのアドレスへ、前記発端末から受信した着信者識別情報を送信し、発信を要求する発信要求手段と、ゲートウェイから着信の要求を受信する着信要求受信手段と、着信を要求した前記ゲートウェイから受信した着信者識別情報と、前記第一のデータベース内のサービス内容とを基に、着信先の端末を選択する着端末先選択手段と、前記着端末選択手段が選択した端末へ、着信の要求があったゲートウェイのアドレスを呼接続先アドレスとして通知し、着信を要求する着信要求手段と、課金情報を記憶する課金情報記憶手段と、端末から呼の開始及び終了の通知を受信し、該端末のユーザグループの識別情報と、通話時間とを前記課金情報記憶手段に書き込む課金情報収集手段と、を具備することを特徴とするサーバである。
【００１５】
【発明の実施の形態】
以下、図面を参照し、この発明の実施の形態について説明する。図１は、この発明の一実施の形態による構内電話交換システムの構成を示すブロック図である。
通信事業者は、ＩＰ（Internet Protocol）網Ｌ内にＩＰ交換網Ｎを構成する。ＩＰ交換網Ｎには各種データベースと接続される１つまたは複数の交換サーバ７が設置され、他通信事業者の保有するＧＷ（ゲートウェイ）２０と接続されている。通信事業者は、同じ構内電話交換のグループ内での発着信（内線電話）、及び、公衆電話網Ｐを介した端末２との、あるいは、外部ＩＰ網Ｍを介した端末３との発着信（外線電話）が可能な構内電話交換サービスを提供する。
複数の企業ユーザは、通信事業者の提供する構内電話交換サービスを受けており、端末１ａ、１ｂ、１ｃ、１ｄからなる構内電話交換のグループと、端末１ｅ、１ｆからなる構内電話交換のグループを構成する。端末１ａ、１ｂ、１ｃと端末１ｄは同一の構内電話交換のグループに属するが、地理的に離れたビルなどに存在し、それぞれのビル毎にＩＰ網と常時接続回線で接続されている。端末１ａ、１ｂ、１ｃ、１ｄはさらにサブグループに分割されており、端末１ａ、１ｂはサブグループ１、端末１ｃはサブグループ２、端末１ｄはサブグループ３に属している。
【００１６】
端末１ａ，１ｂ、１ｃ、１ｄ、１ｅ、１ｆ（以下、端末１ａ，１ｂ，１ｃ、１ｄ、１ｅ、１ｆを端末１と記述する）はボタンを備えたＩＰ電話機であり、具体的には、ＣＰＵならびにメモリを含む周辺ＬＳＩで構成され、ＣＰＵがメモリに記録されたプログラムを読み出し逐次実行することにより、以下の機能を実現するものである。
端末１は、ｘＤＳＬ（Digital Subscriber Line）やＦＴＴＨ（Fiber to the home）、ＣＡＴＶ（Community Antenna Television）などのＩＰ常時接続でＩＰ交換網Ｎへ接続される。また、端末１はＴＣＰ／ＩＰ（Transmission Control Protocol／Internet Protocol）、ＳＩＰ（Session Initiation Protocol）やＨ．３２３などのＩＰ上の呼制御プロトコル、及び、Ｇ．７１１、Ｇ７２３．１、Ｇ．７２９などの、音声をＩＰデータに変換するためのコーディックを実装する。そして、交換サーバ７の指示によりＧＷ２０あるいは着端末とＩＰによる電話通信の機能を実現する。さらに、端末１は、交換サーバ７から受信した信号の指示により着信等を示すランプを点灯・消灯する機能や、ボタンに代表電話番号などの番号情報や保留のための番号などを割り付ける機能を備える。また、自身の属する構内電話交換のグループを識別するグループＩＤと、自端末を識別するための端末ＩＤと、自端末の製造メーカ名及び型番からなる端末型情報を記憶している。
【００１７】
端末２は一般のアナログ電話機やＩＳＤＮ（Integrated Service Digital Network）電話機であり、公衆電話網Ｐを介した電話の発着信の機能を実現する。
【００１８】
端末３はＩＰ電話機であり、ＴＣＰ／ＩＰが実装され、ＳＩＰやＨ．３２３などのＩＰ上の呼制御プロトコル及びＧ．７１１、Ｇ７２３．１、Ｇ．７２９などの、音声をデータに変換するためのコーディックとを実装し、外部ＩＰ網Ｍを介したＩＰによる電話通信の機能を実現する。
【００１９】
交換サーバ７は、具体的には、ＣＰＵならびにメモリを含む周辺ＬＳＩで構成され、ＣＰＵがメモリに記録されたプログラムを読み出し逐次実行することにより、以下の機能を実現するものである。
交換サーバ７は、ＴＣＰ／ＩＰ及びＳＩＰやＨ．３２３などのＩＰ上の呼制御プロトコルを実装している。また、提供許可サービスデータベース１２、内線構成端末データベース１３、内部状態データベース１４、内外線ルーティングデータベース１５及び課金情報管理データベース１９などのデータベースと相互動作して、端末１やゲートウェイ２０の発呼・着呼を制御する。
【００２０】
提供許可サービスデータベース１２は、具体的には、ＣＰＵならびにメモリを含む周辺ＬＳＩで構成される。
提供許可サービスデータベース１２は、ＴＣＰ／ＩＰを実装しており、構内電話交換サービスのサービス内容にかかわる情報、すなわち、呼の状態遷移に従って変化することのない静的な情報を記憶する。例えば、
・収容する端末ＩＤ（グループＩＤ／サブグループ毎）
・相互接続を許可するＧＷ（グループＩＤ／サブグループ／端末毎）
・ダイヤルイン契約及びダイヤルイン番号
・代表番号契約及び代表番号
・発信規制
・着信規制
などを記憶している。
【００２１】
内線構成端末データベース１３は、具体的には、ＣＰＵならびにメモリを含む周辺ＬＳＩで構成される。
内線構成端末データベース１３は、ＴＣＰ／ＩＰを実装しており、例えば、端末型情報（製造メーカ及び型番）毎に、
・備えられているボタン・ランプの数
・各ボタンの機能
・ソフトウェアバージョン
などの情報を記憶している。
【００２２】
内部状態データベース１４は、具体的には、ＣＰＵならびにメモリを含む周辺ＬＳＩで構成される。
内部状態データベース１４は、ＴＣＰ／ＩＰを実装しており、呼の状態遷移によって変化する動的な情報を記憶する。例えば、
・現在の端末毎の呼の状態（呼出中、通話中、空など）
・現在端末のボタンに割り当てられている機能及び情報
・ＧＷリソースの使用状態
などを記憶する。
【００２３】
内外線ルーティングデータベース１５は、具体的には、ＣＰＵならびにメモリを含む周辺ＬＳＩで構成される。
内外線ルーティングデータベース１５は、ＴＣＰ／ＩＰを実装しており、着信先を示す相手番号から接続すべきＧＷ２０、端末１あるいは端末３、及び、前記着信先のＧＷ２０、端末１あるいは端末３が存在する地理的な位置を示す対地情報を取得するためのルーティングテーブルをグループＩＤ毎に記憶する。相手番号には、電話番号やＵＲＬ（Universal Resource Locator）などが使用される。
【００２４】
課金情報管理データベース１９は、具体的には、ＣＰＵならびにメモリを含む周辺ＬＳＩで構成される。
課金情報管理データベース１９は、ＴＣＰ／ＩＰを実装しており、各端末の利用状況に応じた課金情報を蓄積する。例えば、グループＩＤ毎に
・呼毎の発信あるいは着信した端末ＩＤ
・呼毎のＧＷの呼処理番号（ＧＷが発信を受け付けた呼毎に割り当てる番号）
・呼毎の接続先の対地情報
・呼毎の通話時間
・呼毎の料金
・月毎の契約固定料金（サービスの契約内容に依存した固定料金）
・月毎の従量料金（呼数、通話時間、接続先の対地により変動する料金）
などを蓄積する。
【００２５】
ＧＷ２０は、具体的には、ＣＰＵならびにメモリを含む周辺ＬＳＩで構成され、ＣＰＵがメモリに記録されたプログラムを読み出し逐次実行することにより、以下の機能を実現するものである。
ＧＷ２０は、公衆電話網Ｐと接続するためのＰＲＩ（Primary Rate Interface）などの加入者線−交換機間インタフェース、あるいは、ＳＴＭ（Synchronous transport module）−０／１やＴ−１などの音声の送受信及び共通線信号などの呼制御信号の送受信に使用する交換機間インタフェースを実装する。さらにＧＷ２０は、ＴＣＰ／ＩＰ、ＳＩＰやＨ．３２３などのＩＰ上の呼制御プロトコル、Ｇ．７１１、Ｇ．７２９などの、音声をＩＰデータに変換するためのコーディックを実装する。そして、交換サーバ７の指示により、端末１との間の音声回線のコネクションを確立・切断したり、公衆電話網Ｐと接続される音声回線上の音声データとＩＰ上の音声データを変換する機能を実現する。さらに、番号情報から着信ルートを決定するための番号解決データベース２１と相互動作して、着信者への呼のルーティングを実現する。
【００２６】
番号解決データベース２１は、具体的には、ＣＰＵならびにメモリを含む周辺ＬＳＩで構成される。
番号解決データベース２１は、ＴＣＰ／ＩＰを実装しており、着信先を示す着番号から接続すべき交換サーバ７を取得するためのデータを記憶する。
【００２７】
次に、端末１を構内電話交換サービスの端末として構内電話交換システムに登録し、発着信が可能な状態にするための、端末の登録認証及び活性化の手順について説明する。図２は、登録認証及び活性化の手順を示すシーケンス図である。
まず、端末１は、交換サーバ７へ自身のグループＩＤ、端末ＩＤ、及び、活性化情報を送信する（ＩＦ３１）。活性化情報は、端末型情報及びユーザ設定情報からなる。ユーザ設定情報は、例えば、端末に備えられているボタンのうち、代表番号をボタン１に、ダイヤルイン番号をボタン２に割り当てるなど、端末のボタンやランプに割り当てる機能に関するユーザの要求を示す。
【００２８】
交換サーバ７はグループＩＤ、端末ＩＤ、及び、活性化情報を受信すると、まず、グループＩＤ及び端末ＩＤを提供許可サービスデータベース１２へ通知する（ＩＦ３２）。提供許可サービスデータベース１２は、受信したグループＩＤが構内交換サービスのユーザとして登録されているか、また、受信した端末ＩＤがグループＩＤで識別される端末として登録されているかをチェックする。提供許可サービスデータベース１２はグループＩＤ及び端末ＩＤが登録されていることを確認すると、ＯＫを交換サーバ７へ返送し、交換サーバ７は、グループＩＤ及び端末ＩＤの認証が成功したと認識する（ＩＦ３３）。
【００２９】
次に、交換サーバ７は、内線構成端末データベース１３へＩＦ３１において受信した端末型情報を通知する（ＩＦ３６）。内線構成端末データベース１３は、端末１が備えるボタン・ランプの数や各ボタンの機能などの情報であるハードウェア情報と、ソフトウェアバージョンなどを示すソフトウェア情報とを読み出し、交換サーバ７へ返送する（ＩＦ３７）。
【００３０】
すると、交換サーバ７は、提供許可サービスデータベース１２にグループＩＤ、端末ＩＤ、端末型情報、ハードウェア情報、ソフトウェア情報、ユーザ設定情報を送信する（ＩＦ４０）。提供許可サービスデータベース１２は、グループＩＤ及び端末ＩＤから代表番号契約とその代表番号、ダイヤルイン契約とそのダイヤルイン番号などの契約情報を読み出すとともに、端末型情報、ハードウェア情報、ソフトウェア情報の内容と、ユーザ設定情報の内容を比較して、代表番号着信時にどのランプを光らせるか、ダイヤルイン番号をどのボタンに割り当てるかなど、実際に端末１のボタンやランプなどに割り当てる機能及び情報を決定し、端末動作記述として交換サーバ７へ通知する（ＩＦ４１）。
【００３１】
続いて、交換サーバ７は、端末１の呼処理に関する情報を記録するメモリ領域を確保するとともに、ＩＦ４１で受信した端末動作記述の書き込みを要求するため、グループＩＤ、端末ＩＤ、及び、端末動作記述を内部状態データベース１４へ通知する（ＩＦ４４）。内部状態データベース１４は、受信したグループＩＤ及び端末ＩＤで識別される端末のためのメモリを確保して端末動作記述を書き込むと、メモリ確保と端末動作記述の書き込みが成功した旨を通知する（ＩＦ４５）。
【００３２】
そして、交換サーバ７は、メモリ確保と端末動作記述の書き込みが成功したことを認識すると、端末１へ端末状態指示を送信することにより、端末１が活性化した、すなわち、構内電話交換サービスが受けられる状態になったことを通知する（ＩＦ４８）。この端末状態指示には、ＩＦ４５で受信した端末動作記述が含まれる。端末１は、端末状態指示を受信すると、登録が成功したことを認識する。そして、端末動作記述に従って、ボタンやランプに機能と情報を割り当てる。
【００３３】
次に、端末１の公衆電話網Ｐを介した端末２への発信、すなわち外線発信の手順を説明する。図３は、端末１から端末２への外線発信の手順を示すシーケンス図である。
まず、端末１は、グループＩＤ、端末ＩＤ及び発信要求を予め指定された交換サーバ７へ送信する（ＩＦ５１）。発信要求には、端末２の電話番号が設定された相手番号が含まれる。交換サーバ７は、グループＩＤ及び端末ＩＤを提供許可サービスデータベース１２へ通知し（ＩＦ５２）、提供許可サービスデータベース１２は、受信したグループＩＤが構内交換サービスのユーザであるか、また、受信した端末ＩＤがグループＩＤで識別されるユーザとして登録されているかをチェックし、グループＩＤ及び端末ＩＤが登録されていればＯＫを交換サーバ７へ通知する（ＩＦ５３）。
【００３４】
次に、交換サーバ７は、端末１から受信したグループＩＤと相手番号を内外線ルーティングデータベース１５へ通知する（ＩＦ５６）。内外線ルーティングデータベース１５は、グループＩＤ毎に記憶するルーティングテーブルを用いて、相手番号から着信者である端末２へのルートを収容するＧＷ２０のアドレスと端末２の対地情報を読み出して、交換サーバ７へ返送する（ＩＦ５７）。
【００３５】
すると、交換サーバ７は、グループＩＤ、端末ＩＤ及びＧＷアドレスを提供許可サービスデータベース１２へ通知する（ＩＦ５８）。提供許可サービスデータベース１２は、グループＩＤ及び端末ＩＤでサービス提供条件を検索し、端末１の発信が規制されていないか、端末１が通知されたＧＷ２０を使用してよいか、などを確認する。そして、端末１にＧＷ２０を使用した当該呼の発信を許可されている場合は、ＯＫを交換サーバ７に返送する（ＩＦ５９）。
【００３６】
次に、交換サーバ７は内部状態データベース１４へグループＩＤ、端末ＩＤ及びＧＷアドレスを通知する（ＩＦ６０）。内部状態データベース１４は、通知されたグループＩＤ及び端末ＩＤで示される端末１に対するメモリが確保されているか、端末１が現在発呼を要求できる呼の状態にあるか、また、通知されたＧＷアドレスで示されるＧＷ２０のリソースに空があるかどうかを確認し、確認がＯＫであれば交換サーバ７へ通知する（ＩＦ６１）。このとき、外線発信を示すランプの情報があれば併せて通知し、さらに、ＧＷ２０のリソースの使用状態情報に使用中リソースが１増えた旨を書き込む。
【００３７】
続いて、交換サーバ７は、ＧＷアドレスの示すＧＷ２０へリソース要求、グループＩＤ、端末ＩＤ、及び、端末１のアドレスを送信する（ＩＦ６４）。ＧＷ２０は、リソース要求を受信すると、まず、この情報の送信元である交換サーバ７からの呼の接続を許可するか検証する。接続を許可する場合は、今回要求された当該呼の接続にのみ有効なパスワードを生成し、さらに、当該呼を識別するために割り当てる呼処理番号をハントして、これらをグループＩＤ、端末ＩＤ及び端末アドレスと共に記憶する。そして、自身のポート番号（信号がどのアプリケーションのためのものであるかを識別するためにＴＣＰ上で使用される番号）、パスワード、及び、呼処理番号を交換サーバ７へ通知する（ＩＦ６５）。交換サーバ７は、ＧＷ２０のＧＷアドレスと、ＧＷ２０から受信したポート番号及びパスワードを端末１へ通知する（ＩＦ６７）。このとき、点灯すべきランプを指定する情報を合わせて送信する。
【００３８】
端末１は、指定されたランプを点灯するとともに、受信したＧＷアドレスの示すＧＷ２０に対して、通知されたポート番号宛てに接続要求及びパスワードを送信する（ＩＦ６８）。ゲートウェイ２０は、端末１から接続要求及びパスワードを受信すると、この情報（ＩＦ６８）の送信元の端末アドレスが、自身が以前接続を許可した端末アドレスであるかを記憶していた端末アドレスと比較して確認し、記憶していたパスワードと受信したパスワードと比較して端末１を認証する。端末１が認証されるとＧＷ２０は、公衆電話網Ｐを介して電話網の呼制御プロトコルを使用して端末２との呼を確立するとともに、端末１及びＧＷ２０間でＩＰ上の呼制御プロトコルを使用した呼接続処理を行う。このとき、音声データの送受信のための音声パスも確立される。
【００３９】
そして、端末１及びＧＷ２０間の呼が確立され、端末１−端末２間の通話が開始されると、端末１は発信通話中、グループＩＤ及び端末ＩＤを通知する（ＩＦ７１）。一方、ＧＷ２０も通話が開始されると、発信通話中、グループＩＤ、端末ＩＤ及び呼処理番号を交換サーバ７へ通知する（ＩＦ７２）。交換サーバ７は、これらの発信通話中の通知（ＩＦ７１、ＩＦ７２）のどちらかを受信すると、通話時間のカウントを開始する。そして、交換サーバ７は、受信したグループＩＤ及び端末ＩＤを内部状態データベース１４に通知する（ＩＦ７３）。内部状態データベース１４は、グループＩＤ及び端末ＩＤで識別される端末１が通話中になったことをメモリに書き込むとともに、書き込みが正常に行われた場合にはＯＫを返送する（ＩＦ７４）。
【００４０】
そして、端末１−ＧＷ２０間の通話が終了した場合には、端末１はグループＩＤ及び端末ＩＤと終話を交換サーバ７へ通知する（ＩＦ７５）。一方、ＧＷ２０も終話により、グループＩＤ、端末ＩＤ、呼処理番号、公衆電話網Ｐから終話時に通知された料金及び終話を交換サーバ７へ通知する（ＩＦ７６）。交換サーバ７は、これらの終話の通知（ＩＦ７５、ＩＦ７６）のどちらかを受信すると、通話時間のカウントを終了する。そして、交換サーバ７は、グループＩＤ及び端末ＩＤを内部状態データベース１４に通知する（ＩＦ７７）。内部状態データベース１４は、グループＩＤ及び端末ＩＤで識別される端末１が終話したことメモリに書き込むとともに、ＧＷ２０のリソース使用状態情報に空リソースが１増えた旨を書き込み、これらの書き込みが正常に行われた場合にはＯＫを返送する（ＩＦ７８）。さらに、ＧＷ２０から発信通話中（ＩＦ７２）で受信した呼処理番号と、終話（ＩＦ７６）で受信した呼処理番号とが同一であることを確認し、課金情報管理データベース１９へ書込、グループＩＤ、端末ＩＤ、呼処理番号、対地、通話時間、及び、料金を課金情報管理データベース１９へ通知し（ＩＦ７９）、課金情報管理データベース１９はこれらの情報を記憶する。
【００４１】
なお、交換サーバ７は、端末１からの発信の要求（ＩＦ５１）を受信してから、端末１へＧＷアドレスを通知する（ＩＦ６７）までに、何れかのデータベースあるいはＧＷ２０からエラーやＮＧ、接続不可などが返送された場合には、端末１へ発信が不可であることを通知し、端末１は、話中音を送出する。
【００４２】
また、外線発信手順において着信先が外部ＩＰ網Ｍを介した端末３であった場合、端末１が発信を要求するＩＦ５１から交換サーバ７が内外線ルーティングデータベース１５に着信先を問い合わせるＩＦ５６までは、端末１から端末２への外線発信の手順と同様である。そして、内外線ルーティングデータベース１５からは着信する対象である端末３のＩＰアドレスが通知される。交換サーバ７は、端末１に端末３のＩＰアドレスを通知し、ＩＰ交換網Ｎと外部ＩＰ網Ｍを介して端末１と端末３の呼接続処理が行われる。
【００４３】
次に、端末２の公衆電話網Ｐを介した端末１への発信、すなわち外線着信の手順を説明する。図４は、端末２から端末１への外線着信の手順を示すシーケンス図である。
端末２が端末１に対して着信を要求することにより、ＧＷ２０は、公衆網電話網Ｐから端末２が指定した着番号と、端末２を識別する発番号を受信する。ＧＷ２０は、受信した着番号を番号解決データベース２１へ通知し（ＩＦ８２）、この着番号で示される端末１が収容されている交換サーバ７のアドレスを取得する（ＩＦ８３）。ＧＷ２０は、着信先の端末１の認証に使用するため、今回の接続にのみ有効なパスワードを生成し、自身のポート番号、着番号及び発番号と共に取得した交換サーバアドレスで示される交換サーバ７へ送信する（ＩＦ８５）。
【００４４】
交換サーバ７は、受信した着番号を提供許可サービスデータベース１２へ通知する（ＩＦ８６）。提供許可サービスデータベース１２は、この着番号で示されるダイヤルイン番号あるいは代表番号を持つグループＩＤ及びサブグループを取得するとともに、このグループＩＤ及びサブグループによりサービス提供条件を検証する。すなわち、ＧＷ２０との接続が規制されていないか、着信規制されていないかなど、当該呼の着信が規制されていないかを確認する。着信を許可する場合は、グループＩＤ及びサブグループを交換サーバ７へ通知する（ＩＦ８７）。すると、交換サーバ７は、取得したグループＩＤ及びサブグループを内部状態データベース１４へ通知し（ＩＦ９０）、このグループＩＤのサブグループを構成する端末のうち、状態が空であるなど、着信が可能な状態である端末を取得する（ＩＦ９１）。このとき、内部状態データベース１４は、外線着信を示すランプの情報があれば併せて通知し、ＧＷ２０のリソースの使用状態情報に使用中リソースが１増えた旨を書き込む。なお、着信が可能である端末は、１つあるいは複数でありうる。交換サーバ７は、通知された着信可能な端末へ鳴動指示、発番号、ＩＦ８５を受信したＧＷ２０のＧＷアドレス、パスワード及びポート番号と、点灯すべきランプを指定する情報を通知する（ＩＦ９２）。端末１は、呼出音を鳴らすとともに発番号をディスプレイに表示し、指定されたランプを点灯する。
【００４５】
ユーザが端末１に応答すると、端末１は、受信したＧＷアドレスの示すＧＷ２０に対して、通知されたポート番号宛てに接続要求とパスワードを送信する（ＩＦ９３）。ゲートウェイ２０は、端末１から接続要求とパスワードを受信すると、送信したパスワードと受信したパスワードと比較して端末１を認証する。端末１が認証されるとＧＷ２０は、公衆電話網Ｐを介して電話網の呼制御プロトコルを使用して端末２との呼を確立するとともに、端末１及びＧＷ２０間でＩＰ上の呼制御プロトコルを使用して呼接続処理を行う。このとき、音声データの送受信のための音声パスも確立される。
【００４６】
端末１及びＧＷ２０間で呼が確立すると、着信通話中、グループＩＤ及び端末ＩＤを交換サーバ７へ通知する（ＩＦ９４）。交換サーバ７は、通話時間のカウントを開始し、受信したグループＩＤ及び端末ＩＤを内部状態データベース１４に通知する（ＩＦ９８）。内部状態データベース１４は、グループＩＤ及び端末ＩＤで識別される端末１が通話中になったことをメモリに書き込むとともに、書き込みが正常に行われた場合にはＯＫを返送する（ＩＦ９９）。
【００４７】
そして、端末１−端末２間の通話が終話した場合には、端末１は、終話、グループＩＤ、及び、端末ＩＤを交換サーバ７へ送信する（ＩＦ１０１）。すると、交換サーバ７は、通話時間のカウントを停止し、グループＩＤ及び端末ＩＤを内部状態データベース１４に通知する（ＩＦ１０４）。内部状態データベース１４は、グループＩＤ及び端末ＩＤで識別される端末１が終話したことをメモリに書き込むとともに、ＧＷ２０のリソース使用状態情報に空リソースが１増えた旨を書き込み、これらの書き込みが正常に行われた場合にはＯＫを返送する（ＩＦ１０５）。さらに交換サーバ７は、グループＩＤ、端末ＩＤ及び通話時間を課金情報管理データベース１９へ通知し（ＩＦ１０７）、課金情報管理データベース１９はこれらの情報を記録する。
【００４８】
なお、外線着信手順において発信元が端末３であった場合、端末３から外部ＩＰ網Ｍを介して端末１の着番号と、端末３のポート番号が交換サーバ７へ通知される。交換サーバ７は、端末２から端末１への着信手順におけるＩＦ８６以降と同様に動作する。ただし、ＧＷ２０は、端末３と置き換えることとし、パスワードは使用されなくともよい。
【００４９】
次に、内線通話の接続手順について説明する。
本実施例では、発の端末を端末１ａ、着の端末を端末１ｄとする。
内線通話の初期の動作は、外線発信手順（図３）において端末１が発信を要求するＩＦ５１から交換サーバ７が内外線ルーティングデータベース１５に着信先を問い合わせるＩＦ５６までの動作と同様である。そして、内線通話の場合、内外線ルーティングデータベース１５からは着信する対象の端末１ｄのＩＰアドレスが通知される。交換サーバ７は、端末１ａに受信した端末１ｄのＩＰアドレスを通知し、ＩＰ交換網Ｎを介して端末１ａ及び端末１ｄ間でＩＰ上の呼制御プロトコルを使用した呼接続処理が行われる。
【００５０】
なお、構内電話交換のグループが当該構内交換グループを構成する端末を収容するＧＷを設置することで、外線発信と同様な手順で異なる構内電話交換のグループ間の通話を確立してもよい。
【００５１】
そして、課金情報管理データベース１９は、一ヶ月に一度など定期的に、提供許可サービスデータベース１２にアクセスし、全グループＩＤについて、接続を許可するＧＷの数、収容する端末数、及び、ダイヤルインや代表番号など契約している付加サービス種別などのサービス内容を読み出す。そして、課金情報管理データベース１９は、グループＩＤ毎に、契約しているサービス内容を基に契約固定料金を算出するとともに、記憶している通話に関する課金ログ情報から当該月の呼に係る料金である従量料金を算出して記憶する。
【００５２】
なお、端末ＩＤは、端末のＭＡＣアドレス、端末のＩＰアドレス、あるいは、構内電話交換グループ毎、グループ毎、ユーザ毎などに割り当てられたアカウントなどでもよい。
【００５３】
また、構内電話交換のグループに対して、端末１の使用を許可するユーザを識別するためのアカウントと認証情報を付与し、活性化手順あるいは発信手順の最初に、端末１がこのアカウントとアカウントの認証情報を送出することで、ユーザを認証する処理を行ってもよい。この場合、提供許可サービスデータベース１２がアカウントと認証情報を記憶し、交換サーバ７は提供許可サービスデータベース１２に問い合わせることでユーザを認証する。
また、端末１は公衆電話網あるいはインターネットなどを介して交換サーバ７に接続されてもよい。
【００５４】
また、呼接続処理、あるいは、音声データの送受信は、交換サーバ７をプロキシして行われてもよい。
また、ＩＰ交換網にＤＨＣＰ（Dynamic Host Configuration Protocol）サーバまたはBOOTP（BOOTstrap Protocol）をサポートするサーバなどを設置することにより、活性化手順実行時に端末１に動的にＩＰアドレス及びアクセスする交換サーバ７を指定してもよい。
また、構内電話交換のグループの配下にサブグループを作成せず、直接端末ＩＤを収容してもよい。
【００５５】
なお、上記実施の形態は、ボタンを備えたＩＰ電話端末を使用しているが、ヘッドセットを備えたコンピュータ、あるいは、コンピュータと接続された電話端末でもよい。このときボタンとは、コンピュータと接続されるキーボードのキー、あるいは、コンピュータの画面上に表示され、カーソルで選択できるアイコン、さらには、契約するサービスの実行に必要なソフトウェアなどである。
また、ＩＰ電話端末は、一般電話機にＩＰ電話プロトコルと一般電話のプロトコルの相互変換機能を備えたアダプタを接続したものでもよい。
【００５６】
また、上述する実施の形態では、ＴＣＰ／ＩＰを使用しているが、他のプロトコルを使用してもよい。
【００５７】
なお、上述の端末１、交換サーバ７、提供許可サービスデータベース１２、内線構成端末データベース１３、内部状態データベース１４、内外線ルーティングデータベース１５、課金情報管理データベース１９、ゲートウェイ２０、及び、番号解決データベース２１は内部に、コンピュータシステムを有している。そして、上述した動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００５８】
また、「コンピュータ読み取り可能な記録媒体」とは、ＲＯＭの他に、磁気ディスク、光磁気ディスク、ＣＤ−ＲＯＭ、ＤＶＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００５９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００６０】
【発明の効果】
本発明によれば、ユーザは、公衆ネットワーク網に設置され、複数のユーザで共用可能な構内電話交換システムにより、構内交換電話サービスを受けることが可能になるため、個別に高価なＰＢＸ交換機のような専用装置を設置する必要がなくなる。また、構内交換電話システムが備えるサービス契約情報のうち必要なサービスのみを選択して契約することができる。よって、ユーザはコストの削減が図れるとともに、サービスの追加や変更に伴う煩雑さが解消できる。
また、本発明によれば、地理的に離れたユーザであっても同一の構内交換電話サービスのグループを構成することができるため、ユーザは地域毎に専用装置を設置する必要がなくなるとともに、全端末に対して均一なサービスを受けることができる。
【００６１】
また、通信事業者は、複数のユーザで共用可能な構内電話交換システムを公衆ネットワーク網に構築することにより、構内交換電話サービスを提供することが可能になる。よって、構内交換サービスの一括保守及び管理が可能となり、運用に係る負担が軽減される。
【図面の簡単な説明】
【図１】  この発明の一実施の形態による構内電話交換システムの構成を示すブロック図である。
【図２】  同実施の形態による登録認証及び活性化の手順を示すシーケンス図である。
【図３】  同実施の形態による外線発信の手順を示すシーケンス図である。
【図４】  同実施の形態による外線着信の手順を示すシーケンス図である。
【符号の説明】
１、１ａ、１ｂ、１ｃ、１ｄ、１ｅ、１ｆ、２、３…端末
７…交換サーバ
１２…提供許可サービスデータベース
１３…内線構成端末データベース
１４…内部状態データベース
１５…内外線ルーティングデータベース
１９…課金情報管理データベース
２０…ＧＷ
２１…番号解決データベース
【図１】
0004001768.tif 000002
【図２】
0004001768.tif 000003
【図３】
0004001768.tif 000004
【図４】
0004001768.tif 000005